(57)【要約】  コントローラ又はファームウェアの使用を必要としない、デバイスにリバーシブルコネクタを収容するための構成及び方法は、リバーシブルコネクタに接続された外部コネクタの向きを検出するための検出回路を含む。２つのスイッチが、検出された向きに従って、リバーシブルコネクタのピンの組のいずれか１つにデバイスの電気配線を接続することを可能にする。これらのスイッチは独立して動作し、各々が別個の検出回路を備えている。
2019519860.tif 000002
【特許請求の範囲】
【請求項１】
電子デバイスであって、
リバーシブルコネクタに接続するための外部コネクタの向きに従って、前記リバーシブルコネクタの第１のコネクタ接点の組（２００Ａ）か、又は前記リバーシブルコネクタの第２のコネクタ接点の組（２００Ｂ）のいずれかを電気配線に可逆的に接続するために、前記電気配線を前記リバーシブルコネクタ（２００）の接点に結合するように構成された複数のスイッチ（２０２、２１２）と、
前記第１のコネクタ接点の組のうちの少なくとも１つに結合された第１のイネーブル回路（２０４〜２０５）、及び前記第２のコネクタ接点の組のうちの少なくとも１つに結合された第２のイネーブル回路（４０４〜４０５）と、を含み、
前記第１のイネーブル回路は、前記第１のコネクタ接点の組のうちの前記少なくとも１つで受信した信号のフィーチャの存在に応答して、前記複数のスイッチのうちの第１のスイッチ（２０２）への第１のイネーブル信号（２０３）を生成するように構成され、前記第２のイネーブル回路は、前記第２のコネクタ接点の組のうちの前記少なくとも１つで受信した信号のフィーチャの存在に応答して、前記複数のスイッチのうちの第２のスイッチ（２１２）への第２のイネーブル信号（２１３）を生成するように構成され、
前記第１及び前記第２のスイッチは、前記第１及び前記第２のイネーブル回路のいずれによっても前記第１及び前記第２のイネーブル信号のいずれも生成されない場合、コネクタ接点の両方の組と前記電気配線との間で接触がない切断状態になり、
前記第１のスイッチは、前記第１のイネーブル信号に応答して、前記第１のコネクタ接点の組が前記電気配線に結合される接続状態に切り替わるように構成され、
前記第２のスイッチは、前記第２のイネーブル信号に応答して、前記第２のコネクタ接点の組が前記電気配線に結合される接続状態に切り替わるように構成される、電子デバイス。
【請求項２】
前記第１及び前記第２の接点のうちの前記少なくとも１つで受信した前記信号の前記フィーチャは、前記受信した信号における直流成分の存在である、請求項１に記載の電子デバイス。
【請求項３】
前記第１及び前記第２のイネーブル回路のうちの少なくとも一方は、ＤＣフィルタを備える、請求項２に記載の電子デバイス。
【請求項４】
前記第１及び前記第２のイネーブル回路のうちの少なくとも一方は、前記受信した信号を基準信号と比較するように構成され、且つ、前記受信した信号が前記基準信号と一致する場合に前記イネーブル信号を生成するように構成された、比較器を備える、請求項１に記載の電子デバイス。
【請求項５】
前記リバーシブルコネクタはUniversal Serial Bus Type-Cコネクタである、請求項１〜４のいずれか一項に記載の電子デバイス。
【請求項６】
前記信号はEthernet伝送信号である、請求項１〜５のいずれか一項に記載の電子デバイス。
【請求項７】
リバーシブルコネクタに接続するための外部コネクタの向きに従って、前記リバーシブルコネクタの第１のコネクタ接点の組（２００Ａ）か、又は前記リバーシブルコネクタの第２のコネクタ接点の組（２００Ｂ）のいずれかを電気配線に可逆的に接続するために、デバイスの前記電気配線を前記デバイスの前記リバーシブルコネクタ（２００）に結合する方法であって、
前記第１のコネクタ接点の組のうちの少なくとも１つに印加される信号のフィーチャの存在の第１の検出（７０１ａ）、及び前記第２のコネクタ接点の組のうちの少なくとも１つに印加される信号の存在の第２の検出（７０１ｂ）と、
前記第１の検出に応答して第１のイネーブル信号を生成すること（７０２ａ）、及び前記第２の検出に応答して第２のイネーブル信号を生成すること（７０２ｂ）と、
前記第１のイネーブル信号に応答して、第１のスイッチを、前記第１のコネクタ接点の組の間で接触がない切断位置から、前記第１のコネクタ接点の組と前記電気配線との間で接触がある接続位置に設定すること（７０５ａ）、及び、前記第２のイネーブル信号に応答して、第２のスイッチを、前記第２のコネクタ接点の組の間で接触がない切断位置から、前記第２のコネクタ接点の組と前記電気配線との間で接触がある接続位置に設定すること（７０５ｂ）と、を含む方法。
【請求項８】
前記受信した信号のフィーチャの存在の前記検出は、前記受信した信号中の直流成分の存在の検出である、請求項７に記載の方法。
【請求項９】
前記受信した信号中の直流成分の前記存在の前記検出は、前記受信した信号からの前記直流成分のフィルタリングを含む、請求項８に記載の方法。
【請求項１０】
前記受信した信号のフィーチャの存在の前記検出は、前記受信した信号と基準信号との比較に基づく、請求項７に記載の方法。
【発明の詳細な説明】
【技術分野】
【０００１】
本開示は一般的に、リバーシブル通信インターフェースの分野に関する。
【背景技術】
【０００２】
本明細書に記載する背景情報は、以下で説明する本発明の実施形態に関係することがある当技術分野の様々な態様を読者に紹介することを意図している。この考察は、本開示の様々な態様のより深い理解を容易にするための背景情報を読者に提供するのに役立つものと考えられる。従って、これらの記載は、この観点から読まれるべきであることを理解されたい。
【発明の概要】
【発明が解決しようとする課題】
【０００３】
電子デバイスの製造業者は、デバイスの利便性を向上させるために継続的に努力している。利便性の一部としては、ある電子デバイスを多数の異なる種類の他の電子デバイスとインターフェースさせてデータを交換する能力がある。行政及び標準化団体は、必要とされる異なるケーブル及びコネクタの重複度を低減するために、ひいては電子機器廃棄物を減らし、消費者のために追加のコストを削減するために、類似の目的のために使用される異なるユーザインターフェースの数を低減するように作業している。一例として、欧州委員会の率先により、欧州連合内で販売されているデータ対応携帯電話で使用するためのmicro-USBフォーマットを備えた共通の外部電源の仕様が生まれた。充電器の非互換性が、主要な環境問題であり、ユーザにとって不便であるものと分かった。ユーザにとって更に不便であるのは、多数のタイプの現在使用されているコネクタを用いると、消費者はコネクタを正しく接続するために注意しなくてはならないことである。しばしば、コネクタを正しく挿入するためには幾度かの試行が必要である。コネクタを誤って接続しようとする試みが頻繁になると、最終的には、コネクタ及び／又はコネクタを受け取るデバイスの機械的な損傷につながることがある。リバーシブルコネクタの出現は、この意味での更なる改良である。リバーシブルコネクタの例としては、Apple社のLightning、及びUSB Type-Cコネクタがある。しかしながら、コネクタの可逆性に適合することは電子デバイス製造業者にとっては更なる挑戦である、というのも、余分な配線、追加の電子部品、並びに切替及び制御用のソフトウェアが必要になるからである。
【０００４】
従って、リバーシブルコネクタ用のインターフェースをホストするためのソリューションを更に最適化する必要がある。
【課題を解決するための手段】
【０００５】
本開示の一態様によれば、リバーシブルコネクタに接続するための外部コネクタの向きに従って、リバーシブルコネクタの第１のコネクタ接点の組か、又はリバーシブルコネクタの第２のコネクタ接点の組のいずれかを電気配線に可逆的に接続するために、電気配線をリバーシブルコネクタの接点に結合するように構成された複数のスイッチを備えるデバイスが提供される。このデバイスは、第１のコネクタ接点の組のうちの少なくとも１つに結合された第１のイネーブル回路、及び第２のコネクタ接点の組のうちの少なくとも１つに結合された第２のイネーブル回路を備える。第１のイネーブル回路は、第１のコネクタ接点の組のうちの少なくとも１つで受信した信号のフィーチャの存在に応答して、複数のスイッチのうちの第１のスイッチへの第１のイネーブル信号を生成するように構成され、第２のイネーブル回路は、第２のコネクタ接点の組のうちの少なくとも１つで受信した信号のフィーチャの存在に応答して、複数のスイッチのうちの第２のスイッチへの第２のイネーブル信号を生成するように構成される。第１及び第２のスイッチは、第１及び第２のイネーブル回路のいずれによっても第１及び第２のイネーブル信号のいずれも生成されない場合、コネクタ接点の両方の組と電気配線との間で接触がない切断状態になる。第１のスイッチは、第１のイネーブル信号に応答して、第１のコネクタ接点の組が電気配線に結合される接続状態に切り替わるように構成される。第２のスイッチは、第２のイネーブル信号に応答して、第２のコネクタ接点の組が電気配線に結合される接続状態に切り替わるように構成される。
【０００６】
デバイスの変形実施形態によれば、第１及び第２の接点のうちの少なくとも１つで受信した信号のフィーチャは、受信した信号における直流成分の存在である。
【０００７】
デバイスの変形実施形態によれば、第１及び第２のイネーブル回路のうちの少なくとも一方は、ＤＣフィルタを備える。
【０００８】
デバイスの変形実施形態によれば、第１及び第２のイネーブル回路のうちの少なくとも一方は、受信した信号を基準信号と比較するように構成され、且つ、受信した信号が基準信号と一致する場合にイネーブル信号を生成するように構成された比較器を備える。
【０００９】
デバイスの変形実施形態によれば、リバーシブルコネクタは、Universal Serial Bus Type-Cコネクタである。
【００１０】
デバイスの変形実施形態によれば、信号はEthernet伝送信号である。
【００１１】
本発明の原理は、リバーシブルコネクタに接続するための外部コネクタの向きに従って、リバーシブルコネクタの第１のコネクタ接点の組か、又はリバーシブルコネクタの第２のコネクタ接点の組のいずれかを電気配線に可逆的に接続するために、デバイスの電気配線をデバイスのリバーシブルコネクタに結合するための方法にも関する。この方法は、第１のコネクタ接点の組のうちの少なくとも１つに印加される信号のフィーチャの存在の第１の検出と、第２のコネクタ接点の組のうちの少なくとも１つに印加される信号の存在の第２の検出と、を含む。この方法は更に、第１の検出に応答して第１のイネーブル信号を生成することと、第２の検出に応答して第２のイネーブル信号を生成することと、を含む。この方法は更に、第１のイネーブル信号に応答して、第１のスイッチを、第１のコネクタ接点の組の間で接触がない切断位置から、第１のコネクタ接点の組と電気配線との間で接触がある接続位置に設定することと、第２のイネーブル信号に応答して、第２のスイッチを、第２のコネクタ接点の組の間で接触がない切断位置から、第２のコネクタ接点の組と電気配線との間で接触がある接続位置に設定することと、を含む。
【００１２】
この方法の一実施形態によれば、受信した信号のフィーチャの存在の検出は、受信した信号中の直流成分の存在の検出である。
【００１３】
この方法の一実施形態によれば、受信した信号中の直流成分の存在の検出は、受信した信号からの直流成分のフィルタリングを含む。
【００１４】
この方法の一実施形態によれば、受信した信号のフィーチャの存在の検出は、受信した信号と基準信号との比較に基づく。
【００１５】
本開示の更なる利点が、特定の非限定的な実施形態の説明を通じて示されるであろう。本開示の利点が得られる態様を説明するために、添付の図面に図示される本発明の原理の具体的な実施形態を参照することにより、本発明の原理の特定の説明がなされる。図面は本開示の例示的な実施形態を示すものであり、従って、本開示の範囲を限定するものとしてみなされるべきではない。説明する実施形態を組み合わせて、特定の有利な実施形態を形成することができる。以降の図では、以前の図で既に説明した項目と同じ参照番号を有する項目については、本開示を不必要に不明瞭にするのを避けるために、再度説明はしない。
【００１６】
例示的な実施形態について、以降の図面を参照して説明する。
【図面の簡単な説明】
【００１７】
【図１】リバーシブルコネクタの一例である。
【図２】双方向のデジタルデータ通信目的のための典型的なリバーシブルコネクタを示す。
【図３】典型的なリバーシブルコネクタがどのように非リバーシブルコネクタに配線されるかを示す。
【図４】本発明の原理によるリバーシブルコネクタを接続するための例示的な構成である。
【図５】本発明の原理による回路の詳細な図である。
【図６】本発明の原理の変形実施形態である。
【図７】本発明の原理の実施形態に従って、デバイスの電気配線をリバーシブルコネクタに結合する方法の流れ図である。
【発明を実施するための形態】
【００１８】
図面は、本開示の概念を図示するためのものであり、必ずしも、本開示を図示するための唯一の可能な構成ではないことを理解されたい。
【００１９】
本説明は、本開示の原理を説明する。従って、当業者であれば、本明細書に明示的に説明又は図示されていないが、本開示の原理を具現化し、本開示の趣旨及び範囲内に含まれる、様々な仕組みを考案することができることを、理解されたい。
【００２０】
本明細書に列挙される全ての例及び条件付きの用語は、本開示の原理と、技術を推進するために本発明者によって貢献された概念とを読者が理解するのを助けるための、教育的な目的のためのものであることが意図されており、また、そのように具体的に列挙された例及び条件に限定はしないものとして解釈されるべきである。
【００２１】
更に、本開示の原理、態様、及び実施形態並びに特定の例を列挙する本明細書での全ての記載は、それらの構造的均等物及び機能的均等物の両方を包含することが意図されている。更に、そのような均等物は、現在既知の均等物並びに将来開発される均等物、即ち、構造に関わりなく同じ機能を担って開発される任意の要素、の両方を含むことが意図されている。
【００２２】
図１は、リバーシブルコネクタの一例であり、ここではUSB Type-Cである。２４ピン両側USB Type-Cコネクタは、４つの電源／接地対、非SuperSpeedデータ用の２つの差動対（但し、Type-Cケーブルでは１つの対のみが実装される）、高速データバス用の４つの対、２つの「サイドバンド用」のピン（ＳＢＵ１、ＳＢＵ２）、並びに、ケーブル方向検出及び電力用の２つのコンフィギュレーションピン（ＣＣ１、ＣＣ２）を提供する。Texas-Instruments社のTUSB320 Type-C（商標） Configuration Channel Logic and Port Controlなどの専用制御ロジックは、Type-C仕様に従ってＣＣピンを使用するように開発されており、ポートの取り付け及び取り外し、ケーブル配向、役割検出、及びポート制御を判断することができる。デバイスをUSB Type-Cポートに接続すると、ＣＣロジックブロックが、プルアップ抵抗又はプルダウン抵抗についてＣＣ１及びＣＣ２ピンを監視して、ＵＳＢポートが取り付けられたとき、ケーブルの向き、及び検出される役割（シンク、ソース、又はデュアルモード）を判断する。この判断に基づいて、USB Type-Cインターフェースをホストする装置は、コネクタのピンからその背後にあるロジックへの接続をセットアップすることができ、これは、一般的にソフトウェア（「ファームウェア」とも呼ばれる）で行われ、マイクロコントローラ又はＣＰＵ（中央演算処理装置）又はプロセッサ及びメモリを必要とする。更に、ＣＣピンが標準文書に記載されている通りに正しく使用されていない場合には、インターフェースをホストする装置に接続される電子部品が損傷することがある。
【００２３】
ＣＣピンの正しい使用を当てにしない、且つ、複雑な制御ロジック又はソフトウェアを必要としない、堅牢な解決策が望まれている。この問題への解決策としては、デバイスにおいてリバーシブルコネクタを使用することを活用することができる。
【００２４】
図２は、双方向デジタルデータ通信目的用の、例えば、Ethernet信号の送受信、又はＩ２Ｃバスデータ通信用の、典型的なリバーシブルコネクタを示す。
【００２５】
図２ａを参照すると、典型的なリバーシブルコネクタ２００が８つのピンを備える。リバーシブルコネクタ２００の左側のピンは、右側のピンの逆投影であり、逆も同様である。第１のピンの組２００Ａ（ピン３、４、７、及び８）は、データ送信用の第１の差動対（ピン３、４；ＴＸ１＋及びＴＸ１−）と、データ受信用の第１の差動対（ピン７、８；ＲＸ１−及びＲＸ１＋）とを備える。第２のピンの組２００Ｂ（ピン１、２、５、及び６）は、データ送信用の第２の差動対（ピン５、６；ＴＸ２＋及びＴＸ２−）と、データ受信用の第２の差動対（ピン１、２；ＲＸ２＋及びＲＸ２−）とを備える。このピン構成を用いて、以下に照らして明らかになるように、リバーシブルコネクタが生成される。
【００２６】
図２ｂでは、タイプ２００の２つのリバーシブルコネクタ２１０及び２２０が、例えば、コネクタ同士が嵌合する場合（例えば、コネクタ２１０が雄コネクタでありコネクタ２２０が雌コネクタである場合、又はその逆の場合）には直接的に、或いはストレートケーブルによって、ストレートに相互接続することができる。従って、コネクタ２１０のピン１〜４は、コネクタ２２０のピン５〜８に接続され、コネクタ２１０のピン５〜８は、コネクタ２２０のピン１〜４に接続される。このとき、コネクタ２１０の差動対（ＲＸ及びＴＸ）の各々はコネクタ２２０の嵌合する差動対（ＴＸ及びＲＸ）に正しく接続され、その結果、コネクタ２１０のＲＸはコネクタ２２０のＴＸに接続され、コネクタ２１０のＴＸはコネクタ２２０のＲＸに接続されることを、観察することができる。
【００２７】
図２ｃでは、同じ２つのリバーシブルコネクタ２１０及び２２０が示されているが、コネクタ２２０は上下逆さまになっているものとして示されている。コネクタ同士は、このように直接的に又はストレートケーブルを用いて接続することができる。このとき、コネクタ２１０のピン１〜４は、コネクタ２２０のピン４〜１に接続され、コネクタ２１０のピン５〜８は、コネクタ２２０のピン８〜５に接続される。再度、コネクタ２１０の差動対（ＲＸ及びＴＸ）の各々は、コネクタ２２０の嵌合する差動対（ＴＸ及びＲＸ）に正しく接続されていることを、観察することができる。
【００２８】
この典型的なリバーシブルコネクタのピン配置を用いると、コネクタをどの方向に相互接続しようとも、正しく接続される。
【００２９】
図３は、典型的なリバーシブルEthernetコネクタ２００が、標準的な非リバーシブルのEthernetコネクタ２０１にどのように配線されるかを示す。
【００３０】
図４は、本発明の原理によるリバーシブルコネクタを接続するための例示的な構成であり、図３の典型的な構成に対する改善を提供する。図４の例示的な構成は、回路２０を含む。回路２０は、第１のスイッチ２０２を含む。スイッチ２０２は、第１のイネーブル入力２０３を介してイネーブルすることができる。第１のイネーブル入力には、第１の抵抗器２０４と第１のコンデンサ２０５とから構成される第１のイネーブル回路が接続されている。第１の抵抗器２０４は、一方の側は、コネクタ２１０の第１の差動ＲＸ／ＴＸ対の組の受信データ線（ＲＸ１＋）に接続されており、他方の側は第１のイネーブル入力２０３及び第１のコンデンサ２０５に接続されている。第１のコンデンサ２０５は、接地に接続されている。回路２０は、第２のイネーブル入力２１３と共に第２のスイッチ２１２を含む。第２のイネーブル入力には、抵抗器４０４、コンデンサ４０５から構成される第２のイネーブル回路が接続されている。第２の抵抗器４０４は、一方の側は、コネクタ２１０の第２の差動ＲＸ／ＴＸ対の組の第２の受信データ線（ＲＸ２＋）に接続されており、他方の側は第２のイネーブル入力２１３及び第２のコンデンサ４０５に接続されている。第２のコンデンサ４０５は、接地に接続されている。抵抗器４０４及びコンデンサ４０５は、抵抗器２０４及びコンデンサ２０５について上述したように計算される。回路２０は、２つのスイッチ及び関連するイネーブル回路を含む。スイッチ２１２及びイネーブル回路４０４〜４０５は、スイッチ２０２及びイネーブル回路２０３〜２０５と同様の態様で動作する。これらのスイッチは、独立して動作する。従って、いつでも、伝送信号がコネクタ２００にどのように接続されるかに応じて、スイッチ２０２及び２１２は両方とも開状態になるか、又は１つのスイッチ２０２若しくは２１２が閉状態になる。有利にも、コネクタ２００のＲＸピンのいずれにも有効な伝送信号が存在しない場合にはコネクタ２００と２０１との間には電気的接続は形成されず、これは有利にも、コネクタ２０１の背後の回路（図示せず）などの、スイッチの背後にある任意の回路を電気的に保護する。
【００３１】
別の実施形態によれば、これらのイネーブル回路のコンデンサ２０５又は４０５のいずれか一方又は両方が、図示されるようにアースに接続される代わりにＶｃｃ（正の電圧）に接続され、この場合には、抵抗器２０４又は４０４のいずれか一方又は両方が、ＲＸ対の陰極（つまり、ＲＸ１−又はＲＸ２−）に接続される。
【００３２】
図５は、イネーブル回路２０４、２０５を有するスイッチ２０２の詳細図であり、スイッチ２０２は、図５ａに示す第１の構成では開いており、図５ｂに示す第２の構成では閉じている。
【００３３】
第１の構成５ａでは、スイッチ２０２のＲＸ１＋入力上でコネクタ２００から信号５０１が受信されない。その結果、イネーブル入力２０３がイネーブル信号５００を受信しないので、スイッチ２０２はディスエーブル（開）状態になる。
【００３４】
第２の構成５ｂでは、スイッチ２０２のＲＸ１＋入力上でコネクタ２００から伝送信号５０３が受信される。この伝送信号は、３．３ＶのＤＣ成分に重ね合わせられる特殊性を有する。抵抗器２０４及びコンデンサ２０５はＤＣフィルタとして機能し、ＤＣ成分５０２を抽出する。その結果、イネーブル信号５０２がスイッチ２０２に供給され、スイッチは、コネクタ２１０とコネクタ２０１との間に電気的接触が形成される閉状態になる。従って、入力信号のフィーチャ、ここでは伝送信号のＤＣ成分が、電気的接続を確立するために使用されることが分かる。
【００３５】
データ伝送信号からＤＣ成分を分離するためには、低いカットオフ周波数が好ましい。Ethernet 10BaseT及びそれ以上（100BaseT/1000BaseT）などの伝送信号については、伝送信号から高周波成分を除去し、ＤＣ成分のみを維持するためには、１ＭＨｚのカットオフ周波数が便利である。抵抗器２０４／４０４の値は、ＤＣフィルタを動作させるために送信機から引き出される電流の関数として選択される。送信機のドライバに応じて、典型的な許容可能な電流範囲は、数百マイクロアンペア〜数ミリアンペアの間である。このことを踏まえて、オームの法則に従うと：
【数１】
2019519860.tif 000003
【００３６】
これにより、３．３ＶのＤＣ成分の場合、抵抗器２０４／４０４については、例えば、１Ｋオーム（Ｉ＝３．３ｍＡ）から１０Ｋオーム（Ｉ＝３３０μＡ）の範囲が与えられる。このとき、コンデンサ２０５／４０５の値は、フィルタの所望のカットオフ周波数と抵抗器２０４／４０４の値との関数として、次式に従って計算される。
【数２】
2019519860.tif 000004
【００３７】
Ｆ＝１ＭＨｚでＲ＝１Ｋである例示的な場合では、Ｃは従って１６０ｎＦである。Ｆ＝１ＭＨｚでＲ＝１０Ｋの場合、Ｃ＝１６ｎＦである。
【００３８】
有利にも、スイッチを動作させるために、制御ソフトウェア（「ファームウェア」）及びプロセッサは必要ではない。
【００３９】
更なる実施形態によれば、イネーブル回路は比較器を含み、この比較器は、ＲＸ入力上で受信した信号を基準信号と比較し、ＲＸ入力上で受信した信号が基準信号と一致している場合にのみイネーブル信号を供給することを可能にする。
【００４０】
別の実施形態によれば、接続位置から切断位置への切り替えに遅延が加えられ、受信した信号内にフィーチャが一時的に欠如することを許し、この一時的な欠如の間にスイッチが切り替わることを回避する。
【００４１】
図６は、スイッチ２０２及び２１２の両方が同時に閉状態になるのを回避するように構成されたＡＮＤ及びインバータを使用した更なる論理回路を含む、本発明の原理の更なる変形実施形態であり、この同時の閉状態は、伝送信号が両方のＲＸ端子に同時に接続されるということが起きた場合に、発生し得る。そのような回路は、第１のスイッチ２０２に対しては論理ＡＮＤ機能６００を、第２のスイッチに対しては論理ＡＮＤ機能６０１を含む。ＡＮＤ機能６００及び６０１の各々は、その入力部の１つ上にインバータを含む。この構成は、各スイッチについて、スイッチを接続位置に設定するために、伝送信号が存在することに対してある条件、即ち、他の伝送信号が無いこと、を追加するという効果を有する。例えば、スイッチ２０２をイネーブルするためには、ＲＸ１＋端子上に伝送信号が存在することが必要であり、且つ、ＲＸ２＋端子上に伝送信号が存在しないことが必要である。これは、スイッチ２１２については逆である。
【００４２】
図７は、本発明の原理の実施形態に従って、リバーシブルコネクタに接続するための外部コネクタの向きに従って、リバーシブルコネクタの第１のコネクタ接点の組２００Ａか、又は上記リバーシブルコネクタの第２のコネクタ接点の組２００Ｂのいずれかを電気配線に可逆的に接続するために、デバイスの電気配線をデバイスのリバーシブルコネクタ２００に結合するための方法７００の流れ図である。ステップ７０１ａは、第１のコネクタ接点の組２００Ａのうちの少なくとも１つに印加される信号のフィーチャの検出であり、ステップ７０１ｂは、第２のコネクタ接点の組２００Ｂのうちの少なくとも１つに印加される信号のフィーチャの検出である。ステップ７０２ａでは、第１の検出に応答して第１のイネーブル信号が生成され、第２の検出に応答して第２のイネーブル信号７０２ｂが生成される。ステップ７０３ａでは、第１のイネーブル信号の存在が検証され、ステップ７０３ｂでは第２のイネーブル信号の存在が検証される。第１のイネーブル信号が存在する場合、ステップ７０４ａで第１のスイッチは、第１のコネクタ接点の組と電気配線との間に接触が形成される接続位置に設定される。第２のイネーブル信号が存在する場合、ステップ７０４ｂで第２のスイッチは、第２のコネクタ接点の組と電気配線との間に接触が形成される接続位置に設定される。第１のイネーブル信号が存在しない場合、ステップ７０５ａで第１のスイッチは、第１のコネクタ接点の組と電気配線との間に接触が形成されない切断位置に設定される。第２のイネーブル信号が存在しない場合、ステップ７０５ｂで第２のスイッチは、第２のコネクタ接点の組と電気配線との間に接触が形成されない切断位置に設定される。
【００４３】
この方法の別の実施形態によれば、受信した信号のフィーチャの存在の検出は、受信した信号中のＤＣ成分の存在の検出である。この方法の変形実施形態によれば、受信した信号中のＤＣ成分の検出は、受信した信号からＤＣ成分をフィルタリングすることを含む。そのような検出は、例えば、図４に従うＲＣフィルタ回路、又は比較回路（図示せず）を用いて行われる。
【００４４】
この方法の更なる実施形態によれば、受信した信号のフィーチャの存在の検出は、受信した信号と基準信号との比較に基づく。
【００４５】
図面中の幾つかの要素が使われなくてもよく、又は、全ての実施形態において必要ではないことがあることを理解されたい。幾つかの動作は並行して実行されることがある。図示及び／又は説明した実施形態以外の変形実施形態が可能である。例えば、この構成はコネクタケーブル内に含まれることがある。
【００４６】
本発明の原理の態様は、システム、方法、又はコンピュータ可読媒体として具現化することができることを理解されたい。従って、本発明の原理の態様は、完全にハードウェアの実施形態の形式、完全にソフトウェアの実施形態（ファームウェア、常駐ソフトウェア、マイクロコード等を含む）の形式、又は、「回路」、「モジュール」、若しくは「システム」として本明細書で全て一般的に定義することができるハードウェア及びソフトウェアの態様を組み合わせた実施形態の形式をとることができる。更に、本発明の原理の態様は、コンピュータ可読記憶媒体の形式をとることができる。１つ又は複数のコンピュータ可読記憶媒体の任意の組み合わせを利用することができる。
【００４７】
従って、例えば、本明細書で提示する図は、本開示の原理を具現化する例示的なシステム構成要素及び／又は回路の概念図を表していることを理解されたい。同様に、任意の流れ図、フロー図、状態遷移図、疑似コード等は、コンピュータ可読記憶媒体内で実質的に表現され、且つコンピュータ又はプロセッサが明示的に図示されていようといまいと、そのようなコンピュータ又はプロセッサによって実行されることがある、様々な処理を表すことを理解されたい。
【００４８】
コンピュータ可読記憶媒体は、１つ又は複数のコンピュータ可読媒体に組み入れられ、且つコンピュータによって実行可能な組み込まれたコンピュータ可読プログラムコードを有する、コンピュータ可読プログラム製品の形式をとることができる。本明細書で使用されるようなコンピュータ可読記憶媒体は、そこに情報を記憶する固有の能力、並びにそこからの情報の検索を提供する固有の能力を与えられた非一時的な記憶媒体と考えられる。コンピュータ可読記憶媒体は、例えば、これらに限定するものではないが、電子の、磁気の、光学式の、電磁気の、赤外線の、若しくは半導体のシステム、装置、若しくはデバイス、又は上記の任意の適切な組み合わせとすることができる。当業者であれば容易に理解するように、以下は、本発明の原理を適用することができるコンピュータ可読記憶媒体のより具体的な例を提供するが、これらは単に例示的なものであり、網羅的な列挙ではないことを理解されたい：ハードディスク、読み出し専用メモリ（ＲＯＭ）、消去可能ＰＲＯＭ（ＥＰＲＯＭ又はフラッシュメモリ）、携帯型コンパクトディスク読み出し専用メモリ（ＣＤ−ＲＯＭ）、光記憶装置、磁気記憶装置、又は上記の任意の適切な組み合わせ。
【図１】
2019519860.tif 000005
【図２ａ】
2019519860.tif 000006
【図２ｂ】
2019519860.tif 000007
【図２ｃ】
2019519860.tif 000008
【図３】
2019519860.tif 000009
【図４】
2019519860.tif 000010
【図５ａ】
2019519860.tif 000011
【図５ｂ】
2019519860.tif 000012
【図６】
2019519860.tif 000013
【図７】
2019519860.tif 000014
【国際調査報告】
2019519860.tif 000015
2019519860.tif 000016